(57)【特許請求の範囲】
【請求項１】
互に異なる第１乃至第ｎ（ｎは２以上の整数）の主信号波長成分と、前記第１乃至前記第ｎの主信号波長成分の各々と異なる一つの監視制御信号波長成分とを有する波長多重（ｗａｖｅｌｅｎｇｔｈ  ｄｉｖｉｓｉｏｎ−ｍｕｌｔｉｐｌｅｘｅｄ）  光信号を受ける光ＡＤＭ（ａｄｄ−ｄｒｏｐ  ｍｕｌｔｉｐｌｅｘｉｎｇ）  装置において、
前記監視制御信号波長成分は、前記第１乃至前記第ｎの主信号波長成分の送信元装置の番号と、前記第１乃至前記第ｎの主信号波長成分の送信先装置の番号とを、前記第１乃至前記第ｎの主信号波長成分に対応して、表す第１乃至第ｎの監視制御信号を搬送するものであり、
前記光ＡＤＭ装置は、
前記波長多重光信号を前記第１乃至前記第ｎの主信号波長成分と前記監視制御信号波長成分とに分波する分波手段と、
前記分波手段に結合され、前記監視制御信号波長成分の終端を行い、前記第１乃至前記第ｎの監視制御信号を出力する監視制御信号終端手段と、
前記監視制御信号終端手段に接続され、前記第１乃至前記第ｎの監視制御信号の内の一つによって表された前記送信先装置の番号が前記光ＡＤＭ装置の番号に一致する場合、前記第１乃至前記第ｎの監視制御信号の内の前記一つに対応した前記第１乃至前記第ｎの主信号波長成分の一つを、特定主信号波長成分として特定する特定信号を出力すると共に、前記特定主信号波長成分に対応した送信元装置の番号を前記光ＡＤＭ装置の番号に書き換え、かつ、前記特定主信号波長成分に対応した送信先装置の番号を別の装置の番号に書き換えた状態の前記第１乃至前記第ｎの監視制御信号を出力する監視制御信号処理手段と、
前記分波手段に結合されると共に、前記監視制御信号処理手段に接続され、前記監視制御信号処理手段から前記特定信号を受信した場合、前記第１乃至前記第ｎの主信号波長成分から前記特定主信号波長成分のみを分離し出力する機能と、前記特定主信号波長成分と同じ波長成分を持つ新たな主信号波長成分を受信し、この新たな主信号波長成分を前記特定主信号波長成分として挿入した状態の前記第１乃至前記第ｎの主信号波長成分を出力する機能とを有する波長挿入分離手段と、
前記波長挿入分離手段に結合され、前記波長挿入分離手段から前記特定主信号波長成分を受信する機能と、前記特定主信号波長成分と同じ波長成分を持つ前記新たな主信号波長成分を前記波長挿入分離手段に送信する機能とを有するＡＤＭ端局と、
前記監視制御信号処理手段に接続され、前記監視制御信号処理手段からの前記第１乃至前記第ｎの監視制御信号を搬送する前記監視制御信号波長成分を生成する監視制御信号成分生成手段と、
前記波長挿入分離手段及び前記監視制御信号成分生成手段に結合され、前記波長挿入分離手段からの前記第１乃至前記第ｎの主信号波長成分と前記監視制御信号成分生成部からの前記監視制御信号波長成分とを有する波長多重信光信号を合波し出力する光合波器とを有することを特徴とする光ＡＤＭ装置。
【請求項２】
前記監視制御信号処理手段は、前記第１乃至前記第ｎの監視制御信号の各々によって表された前記送信先装置の番号が前記光ＡＤＭ装置の番号に一致しない場合、通過信号を出力すると共に、前記光ＡＤＭ装置の番号を経由装置番号として前記第１乃至前記第ｎの監視制御信号の各々に付加した状態の前記第１乃至前記第ｎの監視制御信号を前記監視制御信号成分生成手段に送出するものであり、
前記波長挿入分離手段は、前記監視制御信号処理手段から前記通過信号を受信した場合、前記分波手段からの第１乃至前記第ｎの主信号波長成分をそのまま前記光合波器に送出する機能を更に有することを特徴とする請求項１に記載の光ＡＤＭ装置。
【請求項３】
請求項１に記載の光ＡＤＭ装置と、この光ＡＤＭ装置に前記波長多重信光信号を送信する波長多重光端局装置とを有することを特徴とする波長多重光伝送システム。
【請求項４】
請求項１に記載の光ＡＤＭ装置と、この光ＡＤＭ装置から前記波長多重信光信号を受信する波長多重光端局装置とを有することを特徴とする波長多重光伝送システム。
【請求項５】
請求項２に記載の光ＡＤＭ装置と、この光ＡＤＭ装置に前記波長多重信光信号を送信する波長多重光端局装置とを有することを特徴とする波長多重光伝送システム。
【請求項６】
請求項２に記載の光ＡＤＭ装置と、この光ＡＤＭ装置から前記波長多重信光信号を受信する波長多重光端局装置とを有することを特徴とする波長多重光伝送システム。
【請求項７】
互に異なる第１乃至第ｎ（ｎは２以上の整数）の主信号波長成分と、前記第１乃至前記第ｎの主信号波長成分の各々と異なる一つの監視制御信号波長成分とを有する波長多重（ｗａｖｅｌｅｎｇｔｈ  ｄｉｖｉｓｉｏｎ−ｍｕｌｔｉｐｌｅｘｅｄ）  光信号を受ける光経路切替装置において、
前記監視制御信号波長成分は、前記第１乃至前記第ｎの主信号波長成分が通過する通過装置の番号を、前記第１乃至前記第ｎの主信号波長成分に対応して、順番に表す第１乃至第ｎの監視制御信号を搬送するものであり、
前記光経路切替装置は、
前記波長多重光信号を前記第１乃至前記第ｎの主信号波長成分と前記監視制御信号波長成分とに分波する分波手段と、
前記分波手段に結合され、前記監視制御信号波長成分の終端を行い、前記第１乃至前記第ｎの監視制御信号を出力する監視制御信号終端手段と、
前記監視制御信号終端手段に接続され、前記第１乃至前記第ｎの監視制御信号によって表された前記通過装置の番号と、前記光経路切替装置の番号とに基づいて、前記第１乃至前記第ｎの主信号波長成分をそれぞれ送出する次の装置を特定する特定信号を出力すると共に、前記光経路切替装置の番号を経由装置番号として前記第１乃至前記第ｎの監視制御信号の各々に付加した状態の前記第１乃至前記第ｎの監視制御信号を出力する監視制御信号処理手段と、
前記監視制御信号処理手段に接続され、前記監視制御信号処理手段からの前記第１乃至前記第ｎの監視制御信号を搬送する前記監視制御信号波長成分を生成する監視制御信号成分生成部と、
前記分波手段及び前記監視制御信号成分生成部に結合されると共に、前記監視制御信号処理手段に接続され、前記第１乃至前記第ｎの主信号波長成分にそれぞれ前記監視制御信号成分生成部からの前記監視制御信号波長成分を付加した状態の第１乃至第ｎの波長多重光信号を、前記監視制御信号処理手段から前記特定信号によって特定された前記次の装置にそれぞれ送出する光経路切替手段とを有することを特徴とする光経路切替装置。
【発明の詳細な説明】
【０００１】
【発明の属する技術分野】
本発明は、波長多重（ｗａｖｅｌｅｎｇｔｈ  ｄｉｖｉｓｉｏｎ  ｍｕｌｔｉｐｌｅｘｉｎｇ）光伝送システムに関し、特に、波長多重光伝送システムに用いられる光ＡＤＭ（ａｄｄ−ｄｒｏｐ  ｍｕｌｔｉｐｌｅｘｉｎｇ）  ノードや光クロスコネクトノード（即ち、光経路切替ノード）に関する。
【０００２】
【従来の技術】
特開平３−２１４９３６号公報及び特開平６−３７７１７号公報の各々には、主信号波長成分（チャネル）と、この主信号波長成分の波長と異なる波長の監視制御信号波長成分とを有する波長多重（ｗａｖｅｌｅｎｇｔｈ  ｄｉｖｉｓｉｏｎ−ｍｕｌｔｉｐｌｅｘｅｄ）  光信号を中継する光中継器が開示されている。特に、前記特開平６−３７７１７号公報には、監視制御信号波長成分を光中継器の正常及び異常状態を搬送するのに用いている。
【０００３】
従来、波長多重光伝送システムの内のポイントツーポイントシステム或いは光ＡＤＭリングシステムにおいて、各光ＡＤＭノ一ドでは、「どのチャネルを分離／挿入するのか」、「分離したチャネルは何処のノ一ドを経由してきたのか」、「挿入したチャネルは何処のノ一ドに送るのか」といった情報は、各ノ一ドで情報として持つており、その情報に従って制御する方式がとられていた。
【０００４】
また、波長多重光伝送システムの内の光クロスコネクトシステムにおいても同様に、各光クロスコネクトノード（即ち、光経路切替ノード）において「通過するチャネルがどのノ一ドを経由してきたのか」、「各チャネルはどのノ一ドに送られるのか」という情報も、各ノ一ドで情報として持っており、その情報に従って制御する方式がとられていた。
【０００５】
【発明が解決しようとする課題】
このような従来の波長多重光伝送システムは、各チャネルの経由先の変更、分離／挿入チャネルの変更等に柔軟に対応できないという問題を有していた。
【０００６】
伝送路の有効利用、フレキシビリティを考えると、各ノ一ドで固定チャネル（波長）で利用するよりは、任意にチャネル可変であるような構成が望ましく、このような構成をとる場合、前記のチャネル情報の伝達手段が必要となる。しかしながら、このような伝達手段はまだ明確に定められていないのが現状である。
【０００７】
それ故、本発明の課題は、監視制御信号成分を主信号波長成分（チャネル）の制御情報を搬送するのに用いた波長多重光伝送システム（ポイントツーポイントシステム或いは光ＡＤＭリングシステム）を実現する光ＡＤＭ装置（光ＡＤＭノード）を提供することにある。
【０００８】
本発明の別の課題は、前述の光ＡＤＭ装置（光ＡＤＭノード）を用いた波長多重光伝送システムを提供することにある。
【０００９】
本発明の更に別の課題は、監視制御信号成分を主信号波長成分（チャネル）の制御情報を搬送するのに用いた波長多重光伝送システム（光クロスコネクトシステム）を実現する光経路切替装置（光クロスコネクトノード）を提供することにある。
【００１０】
【課題を解決するための手段】
本発明によれば、互に異なる第１乃至第ｎ（ｎは２以上の整数）の主信号波長成分と、前記第１乃至前記第ｎの主信号波長成分の各々と異なる一つの監視制御信号波長成分とを有する波長多重（ｗａｖｅｌｅｎｇｔｈ  ｄｉｖｉｓｉｏｎ−ｍｕｌｔｉｐｌｅｘｅｄ）  光信号を受ける光ＡＤＭ（ａｄｄ−ｄｒｏｐ  ｍｕｌｔｉｐｌｅｘｉｎｇ）  装置において、
前記監視制御信号波長成分は、前記第１乃至前記第ｎの主信号波長成分の送信元装置の番号と、前記第１乃至前記第ｎの主信号波長成分の送信先装置の番号とを、前記第１乃至前記第ｎの主信号波長成分に対応して、表す第１乃至第ｎの監視制御信号を搬送するものであり、
前記光ＡＤＭ装置は、
前記波長多重光信号を前記第１乃至前記第ｎの主信号波長成分と前記監視制御信号波長成分とに分波する分波手段と、
前記分波手段に結合され、前記監視制御信号波長成分の終端を行い、前記第１乃至前記第ｎの監視制御信号を出力する監視制御信号終端手段と、
前記監視制御信号終端手段に接続され、前記第１乃至前記第ｎの監視制御信号の内の一つによって表された前記送信先装置の番号が前記光ＡＤＭ装置の番号に一致する場合、前記第１乃至前記第ｎの監視制御信号の内の前記一つに対応した前記第１乃至前記第ｎの主信号波長成分の一つを、特定主信号波長成分として特定する特定信号を出力すると共に、前記特定主信号波長成分に対応した送信元装置の番号を前記光ＡＤＭ装置の番号に書き換え、かつ、前記特定主信号波長成分に対応した送信先装置の番号を別の装置の番号に書き換えた状態の前記第１乃至前記第ｎの監視制御信号を出力する監視制御信号処理手段と、
前記分波手段に結合されると共に、前記監視制御信号処理手段に接続され、前記監視制御信号処理手段から前記特定信号を受信した場合、前記第１乃至前記第ｎの主信号波長成分から前記特定主信号波長成分のみを分離し出力する機能と、前記特定主信号波長成分と同じ波長成分を持つ新たな主信号波長成分を受信し、この新たな主信号波長成分を前記特定主信号波長成分として挿入した状態の前記第１乃至前記第ｎの主信号波長成分を出力する機能とを有する波長挿入分離手段と、
前記波長挿入分離手段に結合され、前記波長挿入分離手段から前記特定主信号波長成分を受信する機能と、前記特定主信号波長成分と同じ波長成分を持つ前記新たな主信号波長成分を前記波長挿入分離手段に送信する機能とを有するＡＤＭ端局と、
前記監視制御信号処理手段に接続され、前記監視制御信号処理手段からの前記第１乃至前記第ｎの監視制御信号を搬送する前記監視制御信号波長成分を生成する監視制御信号成分生成手段と、
前記波長挿入分離手段及び前記監視制御信号成分生成手段に結合され、前記波長挿入分離手段からの前記第１乃至前記第ｎの主信号波長成分と前記監視制御信号成分生成部からの前記監視制御信号波長成分とを有する波長多重信光信号を合波し出力する光合波器とを有することを特徴とする光ＡＤＭ装置が得られる。
【００１１】
更に本発明によれば、
前記監視制御信号処理手段は、前記第１乃至前記第ｎの監視制御信号の各々によって表された前記送信先装置の番号が前記光ＡＤＭ装置の番号に一致しない場合、通過信号を出力すると共に、前記光ＡＤＭ装置の番号を経由装置番号として前記第１乃至前記第ｎの監視制御信号の各々に付加した状態の前記第１乃至前記第ｎの監視制御信号を前記監視制御信号成分生成手段に送出するものであり、
前記波長挿入分離手段は、前記監視制御信号処理手段から前記通過信号を受信した場合、前記分波手段からの第１乃至前記第ｎの主信号波長成分をそのまま前記光合波器に送出する機能を更に有することを特徴とする光ＡＤＭ装置が得られる。
【００１２】
また本発明によれば、互に異なる第１乃至第ｎ（ｎは２以上の整数）の主信号波長成分と、前記第１乃至前記第ｎの主信号波長成分の各々と異なる一つの監視制御信号波長成分とを有する波長多重（ｗａｖｅｌｅｎｇｔｈ  ｄｉｖｉｓｉｏｎ−ｍｕｌｔｉｐｌｅｘｅｄ）  光信号を受ける光経路切替装置において、
前記監視制御信号波長成分は、前記第１乃至前記第ｎの主信号波長成分が通過する通過装置の番号を、前記第１乃至前記第ｎの主信号波長成分に対応して、順番に表す第１乃至第ｎの監視制御信号を搬送するものであり、
前記光経路切替装置は、
前記波長多重光信号を前記第１乃至前記第ｎの主信号波長成分と前記監視制御信号波長成分とに分波する分波手段と、
前記分波手段に結合され、前記監視制御信号波長成分の終端を行い、前記第１乃至前記第ｎの監視制御信号を出力する監視制御信号終端手段と、
前記監視制御信号終端手段に接続され、前記第１乃至前記第ｎの監視制御信号によって表された前記通過装置の番号と、前記光経路切替装置の番号とに基づいて、前記第１乃至前記第ｎの主信号波長成分をそれぞれ送出する次の装置を特定する特定信号を出力すると共に、前記光経路切替装置の番号を経由装置番号として前記第１乃至前記第ｎの監視制御信号の各々に付加した状態の前記第１乃至前記第ｎの監視制御信号を出力する監視制御信号処理手段と、
前記監視制御信号処理手段に接続され、前記監視制御信号処理手段からの前記第１乃至前記第ｎの監視制御信号を搬送する前記監視制御信号波長成分を生成する監視制御信号成分生成部と、
前記分波手段及び前記監視制御信号成分生成部に結合されると共に、前記監視制御信号処理手段に接続され、前記第１乃至前記第ｎの主信号波長成分にそれぞれ前記監視制御信号成分生成部からの前記監視制御信号波長成分を付加した状態の第１乃至第ｎの波長多重光信号を、前記監視制御信号処理手段から前記特定信号によって特定された前記次の装置にそれぞれ送出する光経路切替手段とを有することを特徴とする光経路切替装置が得られる。
【００１３】
【発明の実施の形態】
図１を参照すると、本発明の第１の実施例による光ＡＤＭ装置（光ＡＤＭノード）１０は、互に異なる第１乃至第ｎ（ｎは２以上の整数）の主信号波長成分λ１〜λｎと、第１乃至第ｎの主信号波長成分λ１〜λｎの各々と異なる一つの監視制御信号波長成分λｓｖとを有する波長多重（ｗａｖｅｌｅｎｇｔｈ  ｄｉｖｉｓｉｏｎ−ｍｕｌｔｉｐｌｅｘｅｄ）  光信号を伝送路から受ける。
【００１４】
図２を参照すると、光ＡＤＭ装置（光ＡＤＭノード）１０が受ける監視制御信号波長成分λｓｖは、第１乃至第ｎの主信号波長成分λ１〜λｎの送信元装置の番号（送信ノードＩＤ）と、第１乃至第ｎの主信号波長成分λ１〜λｎの送信先装置（受信ノードＩＤ）の番号とを、第１乃至第ｎの主信号波長成分λ１〜λｎに対応して、表す第１乃至第ｎの監視制御信号を搬送している。
【００１５】
図１に戻って、光ＡＤＭ装置（光ＡＤＭノード）１０は、波長多重光信号を第１乃至第ｎの主信号波長成分λ１〜λｎと監視制御信号波長成分λｓｖとに分波する分波器１を有する。
【００１６】
監視制御信号終端部５は、分波器１に結合され、監視制御信号波長成分λｓｖの終端を行い、第１乃至第ｎの監視制御信号を出力する。
【００１７】
監視制御信号処理部８は、監視制御信号終端部５に接続され、第１乃至第ｎの監視制御信号の内の一つによって表された送信先装置の番号（受信ノードＩＤ）が光ＡＤＭ装置１０の番号（これは図２においてはＢで表されている。）に一致する場合、第１乃至第ｎの監視制御信号の内の前記一つに対応した第１乃至第ｎの主信号波長成分λ１〜λｎの一つ（これは図２の光ＡＤＭ装置１０が受ける監視制御信号波長成分λｓから明らかなようにλｉである。）を、特定主信号波長成分として特定する特定信号を出力すると共に、特定主信号波長成分λｉに対応した送信元装置の番号を光ＡＤＭ装置１０の番号（これは図２においてはＢである。）に書き換え、かつ、特定主信号波長成分λｉに対応した送信先装置の番号を別の装置の番号（これは図２においてはＤで表されている。）に書き換え、しかも、第１乃至第ｎの監視制御信号の内の前記一つを除いた残りの監視制御信号の各々に光ＡＤＭ装置１０の番号を経由装置番号（経由ノード番号）として付加した状態の第１乃至第ｎの監視制御信号λ１〜λｎを出力する。前述の経由装置番号（経由ノード番号）については後に図示して説明する。
【００１８】
波長挿入分離部（ＡＤＭ部）２は、分波器１に結合されると共に、監視制御信号処理部８に接続され、監視制御信号処理部８から前記特定信号を受信した場合は、第１乃至第ｎの主信号波長成分λ１〜λｎから特定主信号波長成分λｉのみを分離し出力する機能と、特定主信号波長成分λｉと同じ波長成分を持つ新たな主信号波長成分を受信し、この新たな主信号波長成分を特定主信号波長成分λｉとして挿入した状態の第１乃至第ｎの主信号波長成分λ１〜λｎを出力する機能とを有する。
【００１９】
ＡＤＭ端局６は、波長挿入分離部２に結合され、波長挿入分離部２から前記特定主信号波長成分λｉを受信する機能と、この特定主信号波長成分λｉと同じ波長成分を持つ前記新たな主信号波長成分を波長挿入分離部２に送信する機能とを有する。
【００２０】
監視制御信号成分生成部７は、監視制御信号処理部８に接続され、監視制御信号処理部８からの第１乃至第ｎの監視制御信号を搬送する監視制御信号波長成分λｓｖを生成する。
【００２１】
光合波器３は、波長挿入分離部２及び監視制御信号成分生成部７に結合され、波長挿入分離部２からの第１乃至第ｎの主信号波長成分λ１〜λｎと監視制御信号成分生成部７からの監視制御信号波長成分λｓｖとを有する波長多重信光信号を合波し出力する。
【００２２】
監視制御信号処理部８は、第１乃至第ｎの監視制御信号の各々によって表された前記送信先装置の番号が光ＡＤＭ装置１０の番号に一致しない場合、通過信号を出力すると共に、光ＡＤＭ装置１０の番号を経由装置番号（経由ノード番号）として第１乃至第ｎの監視制御信号の各々に付加した状態の第１乃至第ｎの監視制御信号を監視制御信号成分生成部７に送出する。前述の経由装置番号（経由ノード番号）については後に図示して説明する。
【００２３】
波長挿入分離部２は、監視制御信号処理部８から前記通過信号を受信した場合は、分波器１からの第１乃至第ｎの主信号波長成分をそのまま光合波器３に送出する機能を更に有する。
【００２４】
図２は、波長多重光伝送システムの内のポイントツーポイントシステム（以下に詳述する）を示している。このポイントツーポイントシステムは、光ＡＤＭ装置（光ＡＤＭノード）１０と、この光ＡＤＭ装置（光ＡＤＭノード）１０に前記波長多重信光信号を送信する波長多重光端局装置（以下に詳述する）９と、光ＡＤＭ装置（光ＡＤＭノード）１０と同様の構成を有する光ＡＤＭ装置（光ＡＤＭノード）１１及び１２と、光ＡＤＭ装置（光ＡＤＭノード）１２から前記波長多重信光信号を受信する波長多重光端局装置（以下に詳述する）１３とを有する。
【００２５】
図３を参照すると、本発明の第２の実施例による波長多重光伝送システム（ポイントツーポイントシステム）が示されており、同様の参照符号で示される同様の部分を含む。図３において、波長多重光端局装置９は、全てのチャネル（主信号波長成分）の光信号の波長多重を行う波長多重送信部２０と、各チャネルの送信元ノ一ド（送信元装置）番号および経由する光波長挿入分離装置（光ＡＤＭノード）のノ一ド番号等の情報を含むデータ信号を生成する監視制御信号生成部４０と、該監視制御信号生成部４０からの信号を主信号に波長多重する監視制御信号多重部３０と、伝送路から受信した波長多重信号の受信を行い、各チャネルの分離／終端を行う波長多重光受信部５０と、主信号に多重されている監視制御信号成分を抽出する監視制御信号抽出部６０と、該監視制御抽出部６０からの監視制御信号を終端し、各チャネルの経由してきた前記光ＡＤＭノ一ドのノ一ド番号等の諏別を行う監視信号終端部７０を有している。光ＡＤＭノ一ド１０では、波長多重光端局装置９からの出力を受け、監視制御信号の抽出／終端および生成／多重処理を行う。同様に次段の光ＡＤＭノ一ド１１及び１２についても同様の処理を行つていき、波長多重光端局装置１１にて監視制御信号の終端が行われる。
【００２６】
図４を参照すると、本発明の第３の実施例による波長多重光伝送システム（ポイントツーポイントシステム）が示されており、同様の参照符号で示される同様の部分を含む。図４において、波長多重光端局装置９は波長多重光送信部２０から波長多重信号を送出している。監視制御信号生成部４０からの監視制御信号は監視制御信号用光源５６に入力され、前記監視制御信号で変調された主信号と異なる波長の光信号が出力される。合波器５５では、前記波長多重送信部２０からの光信号と前記監視制御信号用光源５６からの光信号とを合波して伝送路に出力する。
【００２７】
光ＡＤＭノ一ド１０では、前記光多重光端局装置９からの光信号を受信し、光分波器１で主信号波長成分と監視制御信号波長成分に分離する。分離された監視制御信号波長成分は、監視制御信号終端部５に入力され、各チャネルの分離／挿入制御情報、波長送信元ノ一ド情報、受信先ノ一ド情報、経由ノード情報、波長情報等を監視制御信号処理部８に出力する。該監視制御信号処理部８では、前記分離／挿入制御情報を基に、分離／挿入するチャネルを特定し、その制御を行うための信号を波長挿入分離部２に出力する。該波長挿入分離部２では前記信号により分離を行い、ＡＤＭ端局６にて終端される。ＡＤＭ端局６３では分離チャネルと同波長の光信号を前記波長挿入分離部２に挿入して出力される。前記監視制御信号処理部８ではさらに、自局で分離せずに通過させるチャネルに対しては、自局を経由した履歴情報として自局のノ一ド番号を受信した前記経由ノ一ド情報に書き加え、自局で挿入するチャネルは波長送信元ノ一ド番号、受信先ノ一ド番号および経由先ノ一ド番号を書き加えた監視制御信号を、監視制御信号用光源（これは図１の監視制御信号成分生成部７に対応する）６６に出力する。該監視制御信号用光源６６では、入力された監視制御信号で変調された光信号が出力される。光合波器３では、前記波長挿入分離部２と前記監視制御信号用光源６６からの光信号を合波し伝送路に出力する。光ＡＤＭノード１０の出力は、波長多重光端局装置１３に入力される。該波長多重光端局装置１３では、入力された光信号を光分波器６８により主信号波長成分と監視制御信号波長成分に分離し、主信号波長成分は波長多重受信部６９に、監視信号波長成分は監視制御信号終端部７０に出力され、波長送信元ノ一ド情報、受信先ノ一ド情報、経由ノ一ド情報、波長情報等の受信が可能となる。
【００２８】
図５を参照すると、本発明の第４の実施例による波長多重光伝送システム（ポイントツーポイントシステム）が示されており、同様の参照符号で示される同様の部分を含む。図５において、伝送路からの波長多重信号が光ＡＤＭノ一ド１０に入力され、チャネルｉが分離／挿入されている。分離／挿入制御は、同時に受信された監視制御信号波長λｓｖを参照して行われている。光ＡＤＭノ一ドは、１０、１１、１２、１２´と多段に接続されており、それぞれ、ノ一ド番号が＃１、＃２、＃ｍ、＃ｎとなっている。前記光ＡＤＭノ一ド１０では、チャネルｉについて送信元ノ一ド番号、送信先ノ一ド番号（この例の場合＃ｍ）が書き換えられ、かつその他のチャネルについてはこのノードの番号＃１が付加され、新たな監視制御信号として次段の光ＡＤＭノ一ド１１ヘ出力される。次に光ＡＤＭノ一ド１１においては、ノ一ド１０からの監視制御信号によりチャネルｊの分離／挿入が行われる。ここでも同様に、チャネルｊについて送信元ノ一ド番号、送信先ノ一ド番号が書き換えられ、かつその他のチャネルについてはこのノードの番号＃２が付加され、新たな監視制御信号として次段のノードヘ出力される。ノ一ド１２においては、手前のノ一ドからの監視制御信号によりチャネルｉの分離／挿入が行われる。このチャネルｉの制御信号はノ一ド１０において挿入された情報によるものである。ここでも同様に、チャネルｉについて送信元ノ一ド番号、送信先ノ一ド番号が書き換えられ、かつその他のチャネルについてはこのノードの番号＃ｍが付加され、新たな監視制御信号として次段のノード１２´ヘ出力される。ノ一ド１２´についても同様の動作が繰り返される。
【００２９】
各ノ一ドにおいて分離／挿入を行わないチャネルに関しては、前述の経由装置番号として、図示のような経由ノ一ド番号が分離／挿入を行うノ一ドまで書き加えられる。
【００３０】
図６を参照すると、本発明の第５の実施例による波長多重光伝送システム（光ＡＤＭリングシステム）が示されており、同様の参照符号で示される同様の部分を含む。図６において、波長多重端局装置９がセンターノードとして動作し、光ＡＤＭノード１０〜１２がリモートノードとして動作する。
【００３１】
図７を参照すると、本発明の第６の実施例による波長多重光伝送システム（光クロスコネクトシステム）が示されており、同様の参照符号で示される同様の部分を含む。図７において、この光クロスコネクトシステムは、互に異なる第１乃至第ｎ（ｎは２以上の整数）の主信号波長成分λ１〜λｎと、第１乃至第ｎの主信号波長成分λ１〜λｎの各々と異なる一つの監視制御信号波長成分λｓｖ（後に図示）とを有する波長多重（ｗａｖｅｌｅｎｇｔｈ  ｄｉｖｉｓｉｏｎ−ｍｕｌｔｉｐｌｅｘｅｄ）  光信号を受ける光経路切替装置（クロスコネクト（ＸＣ）ノード）３３と、それと同様な光経路切替装置（ＸＣノード）３４〜３８を含む。前記監視制御信号波長成分λｓｖは、第１乃至第ｎの主信号波長成分λ１〜λｎが通過する通過装置の番号を、第１乃至第ｎの主信号波長成分λ１〜λｎに対応して、順番に表す第１乃至第ｎの監視制御信号を搬送する。
【００３２】
図８を参照すると、本発明の第７の実施例による波長多重光伝送システム（光クロスコネクトシステム）が示されており、同様の参照符号で示される同様の部分を含む。図８において、光経路切替装置（クロスコネクト（ＸＣ）ノード）３３は、波長多重光信号を第１乃至第ｎの主信号波長成分λ１〜λｎと監視制御信号波長成分λｓｖとに分波する分波器１を有する。
【００３３】
監視制御信号終端部５は、分波器１に結合され、監視制御信号波長成分λｓｖの終端を行い、第１乃至第ｎの監視制御信号を出力する。
【００３４】
監視制御信号処理部８３は、監視制御信号終端部５に接続され、第１乃至第ｎの監視制御信号によって表された前記通過装置の番号と、光経路切替装置３３の番号とに基づいて、第１乃至第ｎの主信号波長成分λ１〜λｎをそれぞれ送出する次の装置を特定する特定信号を出力すると共に、光経路切替装置３３の番号を経由装置番号として第１乃至第ｎの監視制御信号の各々に付加した状態の第１乃至第ｎの監視制御信号を出力する。
【００３５】
監視制御信号用光源６６は、監視制御信号処理部８３に接続され、監視制御信号処理部８３からの第１乃至第ｎの監視制御信号を搬送する監視制御信号波長成分を生成する監視制御信号成分生成部として動作する。
【００３６】
光経路切替部７８は、分波器１及び監視制御信号用光源（監視制御信号成分生成部）６６に結合されると共に、監視制御信号処理部７８に接続され、第１乃至第ｎの主信号波長成分λ１〜λｎにそれぞれ監視制御信号用光源（監視制御信号成分生成部）６６からの監視制御信号波長成分を付加した状態の第１乃至第ｎの波長多重光信号を、監視制御信号処理部８３から前記特定信号によって特定された前記次の装置にそれぞれ送出する。
【００３７】
詳細には、クロスコネクト（ＸＣ）ノード３３では、光多重光端局装置９からの光信号を受信し、光分波器１で主信号波長成分と監視制御信号波長成分に分離する。分離された監視制御信号波長成分は、監視制御信号終端部５に入力され、各チャネルの送信元ノ一ド情報、送信先ノ一ド情報、経由ノ一ド情報、波長情報等を監視制御信号処理部８３に出力する。該監視制御信号処理部８３では、前記送信先ノード情報を基に、チャネル経路の切替状態を特定し、その制御を行うための信号を光経路切替部７８に出力する。該光経路切替部７８では前記信号によりチャネル経路の切り替えを行い、伝送路に出力される。前記監視制御信号処理部８３は、各チャネルに対して、自局を経由した履歴情報として自局のノ一ド番号を受信した前記経由ノ一ド情報に書き加えた監視制御信号を監視制御信号用光源６６に出力する。該監視制御信号用光源６６では、入力された監視制御信号で変調された光信号が出力される。光合波器６１では、前記光経路切替部７８と前記監視制御信号用光源６６からの光信号を合波し伝送路に出力する。
【００３８】
図９を参照すると、本発明の第８の実施例による波長多重光伝送システム（光クロスコネクトシステム）が示されており、同様の参照符号で示される同様の部分を含む。図８において、伝送路からの波長多重信号が光経路切替装置（クロスコネクト（ＸＣ）ノード）３３に入力され、チャネルｉ、ｊに関してはノ一ド９５への経路が選択され、チャネルｋに関してはノ一ド９３への経路が選択されている。光経路の切り替えは、同時に受信された監視制御信号波長λｓｖを参照して行われている。この監視制御信号は、各ノ一ド間に各チャネル毎設けられており、各ノ一ドの各チャネルに対して常に行き先が識別できる構成となつている。この例の場合、チャネルｉは、ノ一ド９５を通過した後、ノード９４、９３、９６を経由して出力される。チャネルｊに関しては、ノ一ド９５を通過後、ノ一ド９６を経由して出力される。また、チャネルｋに関しては、前記ノ一ド９３を通過後出力されている。各ノ一ドにおいて、各チャネルの経由してきたノ一ド番号が経由ノ一ド番号として監視制御信号に書き加えられ、次段のノ一ドにおいてどの経路で送られてきたのかが識別できる構成となっている。
【００３９】
【発明の効果】
以上説明したように本発明によれば、監視制御信号成分を主信号波長成分（チャネル）の制御情報を搬送するのに用いた波長多重光伝送システム（ポイントツーポイントシステム或いは光ＡＤＭリングシステム）を実現する光ＡＤＭ装置（光ＡＤＭノード）が得られる。
【００４０】
更に本発明によれば、前述の光ＡＤＭ装置（光ＡＤＭノード）を用いた波長多重光伝送システムが得られる。
【００４１】
また本発明によれば、監視制御信号成分を主信号波長成分（チャネル）の制御情報を搬送するのに用いた波長多重光伝送システム（光クロスコネクトシステム）を実現する光経路切替装置（光クロスコネクトノード）が得られる。
【図面の簡単な説明】
【図１】本発明の第１の実施例のブロック図である。
【図２】図１の実施例を説明するための図である。
【図３】本発明の第２の実施例のブロック図である。
【図４】本発明の第３の実施例のブロック図である。
【図５】本発明の第４の実施例のブロック図である。
【図６】本発明の第５の実施例のブロック図である。
【図７】本発明の第６の実施例のブロック図である。
【図８】本発明の第７の実施例のブロック図である。
【図９】本発明の第８の実施例のブロック図である。
【符号の説明】
１    分波器
２    波長挿入分離部
３    光合波器
５    監視制御信号終端部
６    ＡＤＭ端局
７    監視制御信号成分生成部
８    監視制御信号処理部
１０    光ＡＤＭ装置（光ＡＤＭノード）
３３    光経路切替装置（クロスコネクトノード）
７８    光経路切替部
８３    監視制御信号処理部
【図１】
0003549716.tif 000002
【図２】
0003549716.tif 000003
【図３】
0003549716.tif 000004
【図４】
0003549716.tif 000005
【図５】
0003549716.tif 000006
【図６】
0003549716.tif 000007
【図７】
0003549716.tif 000008
【図８】
0003549716.tif 000009
【図９】
0003549716.tif 000010